(57)【特許請求の範囲】
【請求項１】
概ね直方体の筐体である被梱包物を梱包する方法であって、
矩形の段ボールをコの字状に折り曲げ、立直長を前記筐体の高さと同じとし、第１と第２の折曲面の深さを前記筐体の前面からの幅と同じとし、前記筐体の前面外壁に当接する第１の内装緩衝材を段ボールの中央面内壁に取り付け、前記筐体の第１の側面外壁に当接する第２の内装緩衝材を段ボールの第１の折曲面内壁に取り付ける第１の側面用段ボールと、
矩形の段ボールをコの字状に折り曲げ、立直長を前記筐体の高さと同じとし、第１と第２の折曲面の深さを前記筐体の後面からの幅と同じとし、前記筐体の後面外壁に当接する第３の内装緩衝材を段ボールの中央面内壁に取り付け、前記筐体の第２の側面外壁に当接する第４の内装緩衝材を段ボールの第２の折曲面内壁に取り付ける第２の側面用段ボールと、
矩形の段ボールの四方を折り曲げて箱状に形成し、４隅内壁にコーナーパッドを取り付ける第１の上下面用段ボールと、
矩形の段ボールの四方を折り曲げて箱状に形成し、４隅内壁にコーナーパッドを取り付ける第２の上下面用段ボールとを備え、
第１の側面用段ボールの第１の折曲面外壁に第２の側面用段ボールの第１の折曲面内壁を重ねて前記筐体を被い、
第２の側面用段ボールの第２の折曲面外壁に第１の側面用段ボールの第２の折曲面内壁を重ねて前記筐体を被い、
第１の側面用段ボールと第２の側面用段ボールで被われた前記筐体を前記第１の上下面用段ボールで前記筐体の底面から被い、
第１の側面用段ボールと第２の側面用段ボールで被われた前記筐体を前記第２の上下面用段ボールで前記筐体の上面から被い、
第１の側面用段ボールと第２の側面用段ボールと第１の上下面用段ボールと第２の上下面用段ボールで包まれた状態の前記筐体をパレットにベルトで固定することを特徴とする段ボールによる筐体の梱包方法。
【請求項２】
第１の上下面用段ボールと第２の上下面用段ボールは四方の折曲面の四隅稜をテープで張り付け箱状に形成することを特徴とする請求項１記載の段ボールによる筐体の梱包方法。
【発明の詳細な説明】
【０００１】
【発明の属する技術分野】
この発明は、段ボールによる筐体の梱包方法についてのものである。特に、直方体形状の大型精密装置の梱包方法についてのものである。
【０００２】
【従来の技術】
次に、従来の梱包方法を図３により説明する。図３の８は筐体である被梱包物、９は木枠材、１０はベルト、１１はパレットである。
【０００３】
発泡ポリエチレン性の包装材等で包装された被梱包物８を、鉄釘で固定した木枠材９を用いて梱包後、リフト車での運搬を可能にするために被梱包物８とパレット１１をベルト１０で固定し、一体化していた。
【０００４】
【発明が解決しようとする課題】
図３では、木枠材を使用しているので、梱包材として重量であるということと合わせ、梱包費がかかるという問題がある。さらに、木枠材の組み立てに手間がかかり、解梱後には、木枠材は廃棄物扱いとなる場合が多い。
【０００５】
この発明は、低額で梱包と解梱が容易であり、廃棄物が少なくなる省資源の梱包方法を提供することを目的とする。
【０００６】
【課題を解決するための手段】
この目的を達成するため、本発明のうち請求項１記載発明の特徴は、
概ね直方体の筐体である被梱包物を梱包する方法であって、
矩形の段ボールをコの字状に折り曲げ、立直長を前記筐体の高さと同じとし、第１と第２の折曲面の深さを前記筐体の前面からの幅と同じとし、前記筐体の前面外壁に当接する第１の内装緩衝材を段ボールの中央面内壁に取り付け、前記筐体の第１の側面外壁に当接する第２の内装緩衝材を段ボールの第１の折曲面内壁に取り付ける第１の側面用段ボールと、
矩形の段ボールをコの字状に折り曲げ、立直長を前記筐体の高さと同じとし、第１と第２の折曲面の深さを前記筐体の後面からの幅と同じとし、前記筐体の後面外壁に当接する第３の内装緩衝材を段ボールの中央面内壁に取り付け、前記筐体の第２の側面外壁に当接する第４の内装緩衝材を段ボールの第２の折曲面内壁に取り付ける第２の側面用段ボールと、
矩形の段ボールの四方を折り曲げて箱状に形成し、４隅内壁にコーナーパッドを取り付ける第１の上下面用段ボールと、
矩形の段ボールの四方を折り曲げて箱状に形成し、４隅内壁にコーナーパッドを取り付ける第２の上下面用段ボールとを備え、
第１の側面用段ボールの第１の折曲面外壁に第２の側面用段ボールの第１の折曲面内壁を重ねて前記筐体を被い、
第２の側面用段ボールの第２の折曲面外壁に第１の側面用段ボールの第２の折曲面内壁を重ねて前記筐体を被い、
第１の側面用段ボールと第２の側面用段ボールで被われた前記筐体を前記第１の上下面用段ボールで前記筐体の底面から被い、
第１の側面用段ボールと第２の側面用段ボールで被われた前記筐体を前記第２の上下面用段ボールで前記筐体の上面から被い、
第１の側面用段ボールと第２の側面用段ボールと第１の上下面用段ボールと第２の上下面用段ボールで包まれた状態の前記筐体をパレットにベルトで固定することを特徴とする段ボールによる筐体の梱包方法である。
請求項２記載発明の特徴は、
第１の上下面用段ボールと第２の上下面用段ボールは四方の折曲面の四隅稜をテープで張り付け箱状に形成することにある。
【０００７】
【発明の実施の形態】
次に、この発明による一実施の形態による梱包方法の構成を図１の斜視分解図より説明する。図１の１は概ね直方体の筐体である被梱包物である。また、図１の２は内装緩衝材、３Ａと３Ｂは側面用段ボール、４はテープ、５Ａと５Ｂは上下面用段ボールである。
【０００８】
図１では、側面用段ボール３Ａは矩形の段ボールをコの字状に折り曲げる。また、側面用段ボール３Ａの立直長は筐体１の高さと同じとし、第１と第２の折曲面の深さを筐体１の前面からの幅と同じにしている。
そして、筐体１の前面外壁に当接する第１の内装緩衝材を、側面用段ボール３Ａの中央面内壁に取り付ける。
筐体１の第１の側面外壁に当接する第２の内装緩衝材を、側面用段ボール３Ａの第１の折曲面内壁に取り付ける。
【０００９】
側面用段ボール３Ｂは矩形の段ボールをコの字状に折り曲げる。また、側面用段ボール３Ｂの立直長は筐体１の高さと同じとし、第１と第２の折曲面の深さを筐体１の後面からの幅と同じとしている。
そして、筐体１の後面外壁に当接する第３の内装緩衝材を側面用段ボール３Ｂの中央面内壁に取り付けける。
筐体１の第２の側面外壁に当接する第４の内装緩衝材を、側面用段ボール３Ｂの第２の折曲面内壁に取り付ける。
【００１０】
上下面用段ボール５Ａは、矩形の段ボールの四方を折り曲げて箱状に形成し、４隅内壁に後述するコーナーパッド７を取り付ける。また、上下面用段ボール５Ｂは、矩形の段ボールの四方を折り曲げて箱状に形成し、４隅内壁にコーナーパッド７を取り付ける。
上下面用段ボール５Ａ・５Ｂは四方の折曲面の四隅稜をテープ４で張り付け、箱状に形成する
【００１１】
図２は、上下面用段ボール５Ａ・５Ｂの４隅内壁に取り付けられるコーナーパッド７を説明する図である。図２アに示されるように、コーナーパッド７は被梱包材６の４隅に当接する。図２イはコーナーパッド７の拡大斜視図である。
【００１２】
次に、図１の構成による梱包手順を説明する。
第１のステップでは、側面用段ボール３Ａの第１の折曲面外壁に側面用段ボール３Ｂの第１の折曲面内壁を重ねて筐体１を被う。
第２のステップでは、側面用段ボール３Ｂの第２の折曲面外壁に側面用段ボール３Ａの第２の折曲面内壁を重ねて筐体１を被う。
第３のステップでは、側面用段ボール３Ａと側面用段ボール３Ｂで被われた筐体１を上下面用段ボール５Ａで筐体１の底面から被う。
第４のステップでは、側面用段ボール３Ａと側面用段ボール３Ｂで被われた筐体１を上下面用段ボール５Ｂで筐体１の上面から被う。
第５のステップでは、側面用段ボール３Ａと側面用段ボール３Ｂと上下面用段ボール５Ａと上下面用段ボール５Ｂで包まれた状態の筐体１をパレット１１にベルトで固定する。
【００１３】
【発明の効果】
この発明は、内装緩衝材つき段ボールが４つ用意され、前記段ボールを組み立てて筐体の６面を被うので、的確に短時間で梱包できる。また、木枠材から段ボールに梱包材を変え、廃棄物を軽量化かつ、少量化できる。
【図面の簡単な説明】
【図１】この発明による梱包方法の分解構成図である。
【図２】コーナーパッド７を説明する図である。
【図３】従来の梱包方法の斜視図である。
【符号の説明】
１  被梱包物（筐体）
２  内装緩衝材
３Ａ  側面用段ボール
３Ｂ  側面用段ボール
４  テープ
５Ａ  上下面用段ボール
５Ｂ  上下面用段ボール
６  パレット
７  コーナーパッド
１１  パレット
【図１】
0004126579.tif 000002
【図２】
0004126579.tif 000003
【図３】
0004126579.tif 000004